(57)【要約】      （修正有）【課題】端子カバーの存在が接続ケーブルを引出す上で邪魔にならないビデオカメラを提供する。【解決手段】ビデオカメラ１は、カメラ筐体２にコンポーネント・アウト端子２２やＡ／Ｖアウト端子２３等の外部接続用のコネクタ端子と、これらコネクタ端子を覆う端子カバー３１を備えている。コンポーネント・アウト端子２２やＡ／Ｖアウト端子２３は、カメラ筐体２のグリップ面２ｄに設けられている。端子カバー３１は、カメラ筐体２のグリップ面２ｄに沿ってスライド可能に取付けられていて、一方向にスライドさせるとコンポーネント・アウト端子２２やＡ／Ｖアウト端子２３を設けた端子部２１を閉じ、他方向にスライドさせると端子部２１を開いてコンポーネント・アウト端子２２やＡ／Ｖアウト端子２３を露出させる。【選択図】図６
2008263496.tif 000002
【特許請求の範囲】
【請求項１】
カメラ筐体にコネクタ端子および端子カバーを設けた撮像装置において、
前記コネクタ端子は、カメラ筐体のグリップ面に設けられ、
前記端子カバーは、カメラ筐体のグリップ面に沿ってスライド可能に設けられていて、一方向にスライドさせることにより前記コネクタ端子の上方を覆い、他方向にスライドさせることにより前記コネクタ端子を露出させる
ことを特徴とする撮像装置。
【請求項２】
前記カメラ筐体は、ハードディスクドライブを内蔵し、該ハードディスクドライブと前記カメラ筐体のグリップ面との間に前記端子カバーが配置されている
ことを特徴とする請求項１に記載の撮像装置。
【請求項３】
前記グリップ面は、外側に向かって膨出する湾曲面に形成されている
ことを特徴とする請求項１に記載の撮像装置。
【請求項４】
前記グリップ面の前後の端部に前記コネクタ端子が配置されている
ことを特徴とする請求項１に記載の撮像装置。
【請求項５】
前記グリップ面の後端部に配置されているコネクタ端子は、コンポーネント・アウト端子及び／又はＡ／Ｖ・アウト端子である
ことを特徴とする請求項４に記載の撮像装置。
【請求項６】
前記端子カバーは、前記グリップ面に形成した長孔から前記カメラ筐体外に突出する操作ボタンを備え、該操作ボタンを前記長孔の一端側に移動させると前記コネクタ端子を覆い、前記操作ボタンを前記長孔の他端側に移動させると前記コネクタ端子を露出させる
ことを特徴とする請求項１に記載の撮像装置。
【請求項７】
前記端子カバーは、前記操作ボタンを前記長孔の中央部から一端側に移動させたときに前記操作ボタン乃至前記端子カバーを前記長孔の一端側に付勢し、前記操作ボタンを前記長孔の中央部から他端側に移動させたときに該操作ボタン乃至前記端子カバーを前記長孔の他端側に付勢するトグルバネを備えている
ことを特徴とする請求項６に記載の撮像装置。
【発明の詳細な説明】
【技術分野】
【０００１】
本発明は、カメラ筐体（キャビネット）に、コンポーネント・アウト端子やＡ／Ｖ・アウト端子等のカメラ筐体側のコネクタ端子（ジャック）と、該コネクタ端子を保護する端子カバーと、を備えたビデオカメラ等の撮像装置に関する。
【背景技術】
【０００２】
図２５に示すように、ビデオカメラ１００として、カメラ筐体１０１の後面、即ち撮像レンズ１０２が配置されている前面１０１ａと反対側の面１０１ｂに複数のコネクタ端子１０３を配置すると共に、これらコネクタ端子１０３を塵埃や雨滴等から保護する端子カバー１０４を設けたものが知られている。
【０００３】
図２６，図２７に示すように、前記端子カバー１０４は、前記カメラ筐体１０３に取り付ける取付部１０５と、該取付部１０５に肉薄状のセルフヒンジ１０６を介して回動可能に設けられていて前記複数のカメラ筐体１０１のコネクタ端子１０３を覆って保護するカバー本体部１０７と、該カバー本体部１０６の両側部に設けられた一対の側面部１０８と、これら側面部１０８の内面に設けられた係合凸部１０９と、を備えている。
【０００４】
図２６に示すように、端子カバー１０４を開いた状態にして、前記カメラ筐体１０１のコネクタ端子１０３に接続ケーブル１１１のコネクタ端子（プラグ）１１２を接続する。接続ケーブル１１１を使用する必要がなくなったら、接続ケーブル１１１のコネクタ端子１１２をカメラ筐体１０１のコネクタ端子１０３から引き抜いて、前記セルフヒンジ１０６を支点にして前記カバー本体部１０７を回動させて、前記係合凸部１０９をカメラ筐体１０１の側面に設けた係合凹部１１０に係合することにより前記カメラ筐体１０１のコネクタ端子１０３の上方を覆って保護する。（例えば特許文献１）。
【特許文献１】特開平８−２７９９４０号公報
【発明の開示】
【発明が解決しようとする課題】
【０００５】
ところで、上記従来のビデオカメラ１００には、次に述べるような問題点があった。
（１）図２６に示すように、端子カバー１０４を開いて、カメラ筐体１０１のコネクタ端子１０３に接続ケーブル１１１のコネクタ端子１１２を接続した場合に、端子カバー１０４、特にカバー本体部１０７の存在が接続ケーブル１１１を引出す際の邪魔になる場合がある。
（２）図２５に示すように、カメラ筐体１０１の後面１０１ｂの下端側から突出させた位置にコネクタ端子１０３を配置しているため、その分、カメラ筐体１０１が厚くなってしまう。
【０００６】
本発明の目的は、端子カバーの存在が接続ケーブルを引出す上で邪魔にならないビデオカメラを提供することにある。
【０００７】
また、本発明の他の目的は、カメラ筐体のコネクタ端子の存在によって、カメラ筐体が厚くなるのを抑制することのできるビデオカメラを提供することにある。
【課題を解決するための手段】
【０００８】
本発明は、カメラ筐体にコネクタ端子および端子カバーを設けた撮像装置において、
前記コネクタ端子を、カメラ筐体のグリップ面に設けるとともに、前記端子カバーを、カメラ筐体のグリップ面に沿ってスライド可能に取付け、一方向にスライドさせて前記コネクタ端子の上方を覆い、他方向にスライドさせて前記コネクタ端子を露出させる構成にした。
【０００９】
また、本発明は、前記グリップ面を、上下方向の中央部が外側に向かって膨出する湾曲面に形成するとともに、前記グリップ面の内側にハードディスクドライブを配置し、該ハードディスクドライブと前記グリップ面との間に隙間に前記スライド式の端子カバーを配置した。
【発明の効果】
【００１０】
本発明は、前記コネクタ端子を、カメラ筐体のグリップ面に設けたので、上記従来のビデオカメラのようにカメラ筐体の後面の下端側から突出させないで済むので、その分、カメラ筐体を薄くすることが可能になる。更に、前記端子カバーを前記グリップ面の内面側に収納した状態でコネクタ端子を露出させるので、端子カバーが邪魔にならない。
【００１１】
また、本発明は、カメラ筐体のグリップ面を上下方向の中央部が外側に向かって膨出する湾曲面に形成し、該グリップ面の内側にハードディスクドライブを配置したので、該ハードディスクドライブと前記グリップ面との間に発生する隙間を利用して端子カバーをスライド可能に取り付けることができる。
【発明を実施するための最良の形態】
【００１２】
以下、本発明の撮像装置を、（１）撮像装置の概略構成、（２）スライド式の端子カバーの構成、（３）メモリーカード挿入口およびメモリーカードホルダの構成、（４）作用，効果、（５）他の実施例、の順に説明する。
（１）撮像装置の概略構成
図１〜図４は撮像装置の一例としてのビデオカメラ１を示し、図１はビデオカメラ１をグリップベルト側から見た斜視図、図２はビデオカメラ１をモニター側から見た斜視図、図３はモニターを使用状態にした斜視図、図４はビデオカメラを後面側から見た斜視図である。
【００１３】
ビデオカメラ１は、略直方体状のカメラ筐体２の前面２ａ側にレンズ鏡筒３と、フラッシュ装置４と、赤外線発光部５を備えている。
【００１４】
前記カメラ筐体２の上面２ｂにはマイクロホン６と、アクティブインターフェースシュー７と、光学ビューファインダー（以下、ＯＶＦと称する）８と、ズームレバー９と、フォトボタン１０が設けられている。
【００１５】
図２に示すように、前記ＯＶＦ８は、アイカップ１１を前記カメラ筐体２の後面２Ｃ側に向けた状態で起伏回動可能に取り付けられていて、前記カメラ筐体２の上面２ｂに沿わせて略水平にした状態から前記カメラ筐体２の上面２ｂに対して略直角に起立させることができる。
【００１６】
前記アイカップ１１の側方には、電源スイッチ１２が設けられている。前記電源スイッチ１２の下方には、フラッシュ／充電ランプ１３、アクセスランプ１４、スタート／ストップボタン１５等が設けられている。
【００１７】
図１に示すように、前記カメラ筐体２の第１の側面（以下、グリップ面と称する）２ｄの下方にはグリップベルト２０が設けられて、該グリップベルト２０と前記グリップ面２ｄとの間に指先を挿入して手の平を前記グリップ面２ｄに当ててカメラ筐体２を把持する。
【００１８】
前記グリップ面２ｄは、外側に向かって膨出する湾曲面に形成されていて、手の平で把持し易いようになっている。前記グリップ面２ｄの後端側、即ち、前記グリップ面２ｄの後面２ｃ側の端部には、前記グリップ面２ｄよりも一段低い位置に第１の端子部２１が設けられていて、該第１の端子部２１内にコンポーネント・アウト端子２２と、Ａ／Ｖアウト端子２３が配置されている。
【００１９】
前記第１の端子部２１は、前記グリップ面２ｄの内面に沿ってスライド可能に取り付けられたスライド式の端子カバー３１によって開閉される。
【００２０】
スライド式の端子カバー３１は、操作ボタン３２を前記グリップ面２ｄに設けた長孔３３に嵌合した状態で、前記グリップ面２ｄの内面に沿ってスライド可能に取り付けられていて、前記操作ボタン３２を前記長孔３３の一端部３３ａ側に移動させることにより、前記第１の端子部２１を閉じてコンポーネント・アウト端子２２およびＡ／Ｖ・アウト端子２３の上方を覆い、前記操作ボタン３２を前記長孔３３の他端部３３ｂ側に移動させることにより、前記第１の端子部２１を開いて前記コンポーネント・アウト端子２２およびＡ／Ｖ・アウト端子２３を露出させる。
【００２１】
また、前記グリップ面２ｄの前端側、即ち、前記グリップ面２ｄの前面２ａ側の端部には、前記グリップ面２ｄよりも一段低い位置に第２，第３の端子部（図示省略）が設けられていて、前記第２の端子部にＨＤＭＩ・アウト端子２４が配置され、第３の端子部にＭＩＣ端子２５、ヘッドホン端子２６が配置されている。
【００２２】
前記ＨＤＭＩ・アウト端子２４を設けた第２の端子部は、回動式（跳ね上げ式）の第２の端子カバー３５で開閉され、前記ＭＩＣ端子２５とヘッドホン端子２６を設けた第３の端子部は、回動式（跳ね上げ式）の第３の端子カバー３６で開閉される。前記回動式の第２、第３の端子カバー３５，３６は、ヒンジ３７によってカメラ筐体２に取り付けられていて、該ヒンジ３７で折り曲げることにより前記端子を開いた状態から閉じた状態に、或いは閉じた状態から開いた状態に変移させる。
【００２３】
また、図２に示すように、前記カメラ筐体２のグリップ面２ｄと対向する第２の側面（以下、モニター取付面と称する）２ｅにはモニター４１が取り付けられている。前記モニター４１は、図２に示すように、前記モニター取付面２ｅに重ね合せた所謂閉位置から、図３に示すように、前記モニター取付面２ｅに対して略直角に立てた所謂開位置に変移可能になっている。
【００２４】
図３に示すように、前記モニター４１は、内面に画面／タッチパネル４２を備え、該内面に画面／タッチパネル４２の外側の外枠部分４３にはスタート／ストップボタン４４、ズームボタン４５、ホームボタン４６等を備えている。
【００２５】
また、前記モニター４１が重ね合わされる前記モニター取付面２ｅにはスピーカー４７、画像再生ボタン４８、フィルムロールインデックスボタン４９、画像表示／バッテリーインフォボタン５０、メモリーカード挿入口５１等が設けられている。前記スピーカー４７は、前記モニター取付面２ｅの上部中央の内側に内蔵されている。前記画像再生ボタン４８、フィルムロールインデックスボタン４９、画像表示／バッテリーインフォボタン５０、メモリーカード挿入口５１は、前記モニター４１を閉じたときに前記画面／タッチパネル４２を損傷することのないように前記画面／タッチパネル４２の外枠部分４３に対応する位置に設けられている。
【００２６】
前記メモリーカード挿入口５１の周囲には、これを囲繞するように座繰り状の凹面（窪部）５２が形成されている。そして、前記メモリーカード挿入口５１にメモリーカード５３を挿入して、該メモリーカード５３を前記凹面５２の底部の近傍まで押し込むと、前記メモリーカード５３はロックされて装着された状態になる。
（２）スライド式の端子カバーの構成、
上述したように、スライド式のコネクタ端子カバー３１は、そのスライドによって前記コンポーネント・アウト端子２２と、Ａ／Ｖ・アウト端子２３を開閉する。
【００２７】
図４〜図６に示すように、前記グリップ面２ｄの後面２ｃ側の端部には、前記端子部２１内のコンポーネント・アウト端子２２とＡ／Ｖアウト端子２３を外部に臨ませる開口部（端子窓）５５が設けられている。
【００２８】
前記スライド式の端子カバー３１は、前記グリップ面２ｄの内側にスライド可能に設けられていて、前記開口部５５を開閉する。
【００２９】
上述したように、スライド式の端子カバー３１は、操作ボタン３２を前記グリップ面２ｄに設けた長孔３３に嵌合した状態で、前記グリップ面２ｄの内面に沿ってスライド可能に取り付けられていて、図５に示すように、前記操作ボタン３２を前記長孔３３の一端部３３ａ側に移動させることにより、前記開口部５５を塞いで、前記コンポーネント・アウト端子２２やＡ／Ｖアウト端子２３を保護すると共に、に端子接続ケーブルを接続不可能な状態にする。また、図６に示すように、前記操作ボタン３２を前記長孔３３の他端部３３ｂ側に移動させることにより、前記開口部５５を開いて前記コンポーネント・アウト端子２２およびＡ／Ｖ・アウト端子２３を露出させて、前記コンポーネント・アウト端子２２やＡ／Ｖアウト端子２３に接続ケーブルの端子を接続可能な状態にする。
【００３０】
図７は、スライド式の端子カバー３１を前記グリップ面２ｄの内面から取外した状態を示す斜視図である。前記グリップ面２ｄは、合成樹脂製の側面板６１の外側面に形成されている。前記側面板６１の内面には、格子状のリブ６２と、前記スライド式の端子カバー３１をスライド可能に収容するカバー収容部６３と、前記スライド式の端子カバー３１との摩擦を低減させるためのレール状の突起６４と、トグルバネ（捩じりコイルバネ）６５の一端部６５ａを係止する第１のバネ係止部６６と、ハードディスクドライブ７６のベースカメラ筐体６７をネジ止めするためのボス部６８と、前記トグルバネ６５を受ける（接触）させる複数の弧状突起６９が設けられている。前記長孔３３は、前記カバー収容部６２に臨む位置に形成されている。
【００３１】
前記スライド式の端子カバー３１は、前記グリップ面２ｄに合わせて湾曲させた略矩形の合成樹脂製の板材によって形成されていて、外面側には前記長孔３３に挿入する操作ボタン３２と、前記レール状の突起６４に接触するレール状の突起７０が設けられている。また、前記スライド式の端子カバー３１には、これをスライドさせた時に前記第１のバネ係止部６６やボス部６８と干渉するのを避けるための切欠部７１が設けられている。また、前記スライド式の端子カバー３１の内面には、前記トグルバネ（捩じりコイルバネ）６５の他端部６５ｂを係止する第２のバネ係止部７２と、ハードディスクドライブのベースキャビネット６７の内面に接触して摩擦を低減させるレール状の突起７３と、前記トグルバネ６５を受ける複数の弧状突起７４が設けられている。
【００３２】
前記スライド式の端子カバー３１は、前記操作ボタン３２を前記長孔３３に挿入すると共に、前記レール状の突起７３を前記側面板６１の内面に設けたレール状の突起６４に接触させ、前記切欠部７１内に前記第１のバネ係止部６６やボス部６８、弧状突起６９を挿入した状態で前記カバー収容部６２内にスライド可能に取り付けられる。
【００３３】
図８〜図１０に示すように、前記トグルバネ６５は、一端部６５ａが前記第１のバネ係止部６６に係止され、他端部６５ｂが前記第２のバネ係止部７２に係止されている。前記トグルバネ６５は、前記操作ボタン３２が前記長孔３３の中央部に位置している状態から一端側３３ａに移動させたときに該操作ボタン３３乃至スライド式の端子カバー３１を前記長孔３３の一端側３３ａに向けて付勢する。また、前記操作ボタン３２を前記長孔３３の中央部から他端側３３ｂに移動させたときに該操作ボタン３２乃至スライド式の端子カバー３１を前記長孔３３の他端側３３ｂに向けて付勢する。
【００３４】
即ち、前記トグルバネ６５は、図５に２点鎖線で示す前記操作ボタン３２が前記長孔３３の中央部に位置し、前記スライド式の端子カバー３１が前記開口部５５が半開している状態においては、前記スライド式の端子カバー３１をスライド方向に付勢する力を発生せずに前記スライド式の端子カバー３１を前記開口部５５を半開している状態（位置）に保ち、この状態から前記スライド式の端子カバー３１を少しでも前記開口部５５を閉塞する方向（矢印Ａ方向）に移動させると、図８，図９に示すように、前記トグルバネ６５は、前記スライド式の端子カバー３１を前記開口部５５を閉塞する方向に付勢して、図５に実線で示すように、前記操作ボタン３２を前記長孔３３の一端側３３ａに移動させて、前記スライド式の端子カバー３１で前記開口部５５を全閉した状態にする。
【００３５】
また、前記スライド式の端子カバー３１が前記開口部５５を半開している状態から前記スライド式の端子カバー３１を少しでも前記開口部５５を閉塞する方向（図６の矢印Ｂ方向）に移動させると、図１０に示すように、前記トグルバネ６５は、反転して前記スライド式の端子カバー３１を前記開口部５５を開放する方向に付勢して、図６に示すように、前記開口部５５を全開した状態にする。
【００３６】
図７に示すハードディスクドライブのベースキャビネット６７は、前記スライド式の端子カバー３１と前記トグルバネ６５を組み付けた後に、ネジ７５によって前記ボス部６８に取り付けられる。
【００３７】
図１１、図１２に示すように、前記スライド式の端子カバー３１は、前記グリップ面２ｄと前記ベースキャビネット６７との間に挟まれた状態でスライド可能に保持されている。前記ベースキャビネット６７の内側にはハードディスクドライブ７６が配置されている。前記ハードディスクドライブ７６の前，後の端部の更に外側に前記コネクタ端子が配置されている。前記ハードディスクドライブ７６は、ダンパー７７等を使用した防振構造により保護されている。
【００３８】
実施例のスライド式の端子カバー３１は、グリップ性を向上させるために外側に向かって膨出させたグリップ面２ｄの内側に配置し、従来デッドスペースとして無駄になっていたスペースをスライド式の端子カバー３１の配置スペースとして有効に利用したので、スライド式の端子カバー３１の配置のために特別の配置スペースを確保する必要がなく、撮像装置を小型化する上で効果的なものになる。
【００３９】
また、スライド式の端子カバー３１に設けた操作ボタン３２をグリップ面２ｄに設けた長孔３３に挿入して、前記操作ボタン３２を直接、操作してスライド式の端子カバー３１をスライドさせる構成にしたので、スライド式の端子カバー３１の操作が確実に行うことができる。
【００４０】
また、トグルバネ６５により前記スライド式の端子カバー３１の開閉操作を容易に行うことができると共に、前記スライド式の端子カバー３１を閉じた状態或いは開いた状態に維持することができる。
（３）メモリーカード挿入口およびメモリーカードホルダの構成
図１３に示すように、前記カメラ筐体２のモニター取付面２ｅにはメモリーカード挿入口５１が設けられていると共に、該メモリーカード挿入口５１の周囲には、これを囲繞するように座繰り状の凹面（窪部）５２が形成されている。
【００４１】
メモリーカード５３は、メモリーカード挿入口５１に挿入して所定の位置（前記凹面５２の底面近傍位置）まで押し込むと、カメラ筐体２に装着された状態にロックされ、メモリーカード５３を更に押し込むと、ロックを解除されて、前記カメラ筐体２のモニター取付面２ｅよりも外側に押し出される。即ち、公知の所謂プッシュ−プッシュ機構によってメモリーカード５３の装着と排出が行われる。
【００４２】
図１４に示すように、メモリーカード挿入口５１の内側には、カードホルダ８１が配置されている。前記カードホルダ８１内には、前記メモリーカード５３の端子（以下、メモリーカード側の端子と称する）８２に接続される端子（以下、カメラ筐体側の端子と称する）８３が設けられている。
【００４３】
図１５，図１６に示すように、前記カメラ筐体側の端子８３は、前記モニター４１を閉じることにより前記メモリーカード５が前記モニター取付面２ｅと略面一の位置まで押し込まれた状態において、前記メモリーカード側の端子８２と非接触状態に保たれる位置に配置されている。
【００４４】
前記メモリーカード挿入口５１を囲繞する凹面５２の深さＤ１は、前記メモリーカード５３が前記モニター取付面２ｅの位置まで押し込まれた位置における前記メモリーカード５３の被ロック部８４の位置から前記カードホルダ８１のロック部８５までの距離Ｄ２よりも大に形成されている。Ｄ１＞Ｄ２としたのは、図１４に示すように、前記ロック部８５で前記メモリーカード５３をロックした場合に、前記メモリーカード５３の端部を前記凹面５２の底面から若干、突出させるためである。そして、前記凹面５２の底面から突出している部分を更にプッシュすると、前記ロック部８５によるロックを解除されたメモリーカード５３は、図１８に示すように、前記モニター取付面２ｅから所定量突出した状態になる。
【００４５】
前記ロック部８５は、板バネ８６に設けられていて、前記メモリーカード５３が挿入されると、該メモリーカード５３の表面で押されて板バネ８６が撓むことにより逃げ移動し、メモリーカード５３の被ロック部８４が前記ロック部８５の位置にくると、板バネ８６が復帰して、図１４に示すように、前記ロック部８５が被ロック部８４に係合してメモリーカード５３をロックする。また、前記メモリーカード５３を更に押し込むと、前記ロック部８５が被ロック部８４から抜け出るので、前記押し込む力を解除すると、前記メモリーカード５３の挿入により圧縮されていたカード排出バネ（圧縮スプリング）８７の伸張力によって、メモリーカード５３が所定の位置まで押し出される。上記被ロック部８４およびロック部８５の構成は、プッシュ−プッシュ機構の一例を示すものであって、被ロック部８４およびロック部８５は、メモリーカード５３を所定の位置まで押し込んでロックし、メモリーカード５３を再び押し込むことによりロックを解除することができる構成であればよい。
【００４６】
上述したように、モニター４１を閉じることによりメモリーカード５がモニター取付面２ｅの位置まで押し込まれた状態において、カード側コネクタ８２とカメラ筐体側コネクタ８３を非接触状態に保つためには、図２６に示した従来のメモリーカード１０４がカメラ筐体の一側面１０１ａの位置まで押し込まれた状態において、カード側コネクタ１０６とカメラ筐体側コネクタ１０７を接触させる場合の凹面１０３の深さＤに較べて、凹面５２の深さＤ１を深くしなければならい。
【００４７】
凹面５２の深さＤ１を深くした場合に、図１９Ａに示すように、凹面５２が円形の場合には、図１９Ｂ，図１９Ｃに示すように、指先Ｆでメモリーカード５をロック位置まで押し込むのが困難になる。円形の凹面５２の直径を大きくすれば容易に押し込むことができるが、凹面５２の直径を大きくする場合には、スペース的な制約を受ける。
【００４８】
図２０は、凹面５２の深さＤ１を深くした場合においても、指先Ｆでメモリーカード５をロック位置まで押し込むのを容易にした実施例である。この実施例において、前記凹面５２の平面形状は、メモリーカード挿入口５１を境にして一端側が半円形部５２ａに形成され、他端側が前記半円形部５２ａに連らなる方形部５２ｂに形成されている。
【００４９】
前記凹面５２の一端側を半円形部５２ａに形成したのは、爪先の湾曲した形状に合わせたものである。また、前記凹面５２の他端側を方形部５２ｂに形成したのは、指先Ｆの長さ方向の幅（太さ）にほぼ合わせたものである。
【００５０】
この実施例においては、図２０Ｂ，図２０Ｃに示すように、前記方形部５２ｂの存在によって、指先Ｆの腹Ｂの部分を凹面５２が円形の場合に較べて、より凹面５２内に挿入することが可能となる。従って、凹面５２の深さＤ１を多少深くした場合においても、指先Ｆでメモリーカード５３をロック位置まで確実に押し込むことが可能になる。
【００５１】
図２１に示すように、前記メモリーカード挿入口５１と凹面５２は、スロット部材９１に設けられていて、前記モニター取付面２ｅに取り付けられている。前記メモリーカード挿入口５１は、前記スロット部材９１の上面から下面に貫通した状態で形成されている。また、前記凹面５２は、メモリーカード挿入口５１を境にして一端側が半円形部５２ａに形成され、他端側が前記半円形部５２ａに連らなる方形部５２ｂに形成されている。前記凹面５２は、前記スロット部材９１の上面を下面に向けて抉ったように形成されている。前記メモリーカード挿入口５１の両端部は、前記凹面５２の外周縁部から外側に突出していて、メモリーカード５３を挿入する際のガイド部９２になっている。
【００５２】
実施例のメモリーカード挿入口５１およびメモリーカードホルダ８１は上述のような構成であって、メモリーカード挿入口５１にメモリーカード５３を挿入すれば、該メモリーカード５３は、前記メモリーカード挿入口５１の両端部のガイド部９２によってガイドされて、確実に前記メモリーカードホルダ８１内に挿入される。そして、前記メモリーカード５を前記凹面５２の底面近傍まで押し込めば、メモリーカード５３は、メモリーカードホルダ８１に設けたロック部８５によってロックされて、カメラ筐体２に装着された状態になる。
【００５３】
特に、前記凹面５２の一端側を半円形部５２ａに形成し、他端側を方形部５２ｂに形成すれば、指先Ｆの腹Ｂの部分が前記凹面５２内に挿入し易くなる。従って、凹面５２が深い場合でも前記メモリーカード５３をロック位置まで確実に挿入してロックさせることができる。
【００５４】
また、メモリーカード５３がロック位置まで挿入されず、前記モニター取付面２ｅよりも突出している状態で、モニター４１を閉じると、該モニター４１によって、前記メモリーカード５３は、前記モニター取付面２ｅの位置まで押し込まれるが、メモリーカード側の端子８２とカメラ筐体側の端子８３は接触することはない。
（４）作用および効果
実施例のビデオカメラ１は、上述のような構成であって、前記カメラ筐体のグリップ面の前，後の端部にアウト端子を設けたので、従来のカメラ筐体の後面の下端側から突出させた状態でコネクタ端子を配置しているビデオカメラに較べて、カメラ筐体を薄くすることができる。
【００５５】
特に、コンポーネント・アウト端子２２及び／又はＡ／Ｖ・アウト端子２３をカメラ筐体２のグリップ面２ｄの後端側に配置すると共に、これらコンポーネント・アウト端子２２及び／又はＡ／Ｖ・アウト端子２３をスライド式の端子カバー３１で開閉する構成にしたので、図２２に示すように、ビデオカメラ１を把持した状態で、スライド式の端子カバー３１を開いて前記コンポーネント・アウト端子２２及び／又はＡ／Ｖ・アウト端子２３にＡ／Ｖケーブル９３等を接続した場合でも、スライド式の端子カバー３１は、カメラ筐体２のグリップ面２ｄの下に仕舞い込まれた状態になるので、従来の回動式の端子カバーのように邪魔にならなず、店頭に展示して販売する際等に使い勝手の良さをアピールすることができる。
【００５６】
また、実施例のビデオカメラ１は、メモリーカード５３が前記モニター取付面２ｅの位置まで押し込まれた状態において、メモリーカード側の端子８２と非接触状態に保たれる位置に前記カメラ筐体側の端子８３を配置したので、メモリーカード５３が不完全にメモリーカード挿入口３１に挿入されていて、モニター４１を閉じたときに、該モニター４１によって、メモリーカード５３が前記モニター取付面２ｅの位置まで押し込まれた場合でも、メモリーカード側の端子８２とカメラ筐体側の端子８３が接触するのを防止することができる。
（５）他の実施例
上記実施例においては、カメラ筐体２のグリップ面２ｄの後端側、即ち、前記グリップ面２ｄの後面２ｃ側の端部に、コンポーネント・アウト端子２２と、Ａ／Ｖアウト端子２３を配置し、前記グリップ面２ｄの前端側、即ち、前記グリップ面２ｄの前面２ａ側の端部には、ＨＤＭＩ・アウト端子２４、ＭＩＣ端子２５、ヘッドホン端子２６を配置し、前記コンポーネント・アウト端子２２と、Ａ／Ｖアウト端子２３をスライド式の端子カバー３１で開閉し、ＨＤＭＩ・アウト端子２４を回動式（跳ね上げ式）の第２の端子カバー３５で開閉し、ＭＩＣ端子２５、ヘッドホン端子２６を回動式（跳ね上げ式）の第３の端子カバー３６で開閉する構成にしたが、ＨＤＭＩ・アウト端子２４、ＭＩＣ端子２５、ヘッドホン端子２６をスライド式の端子カバーで開閉してもよい。
【００５７】
また、前記コンポーネント・アウト端子２２と、Ａ／Ｖアウト端子２３、ＨＤＭＩ・アウト端子２４、ＭＩＣ端子２５、ヘッドホン端子２６等の配置は自由であり、スペース的に許されるものであれば、グリップ面２ｄの前端側或いは後端側の何れか一方に全ての端子を配置して、これらスライド式の端子カバー３１で開閉する構成にしてもよい。
【００５８】
また、上記実施例では、凹面５２の形状を一端側が半円形部５２ａで、他端側が方形部５２ｂの所謂マンボウ型の形状に形成した場合を示したが、凹面５２の形状は、図１９Ａ，図１９Ｂに示すように、略三角形状や、卵型形状であってもよく、要は、指先Ｆでメモリーカード５をロック位置まで確実に押し込むことができる形状であればよい。
【００５９】
また、上記実施例では、図１に示すように、フラッシュ装置４をレンズ鏡筒３の先端部に配置し、赤外線発光部５をレンズ鏡筒３の付け根部分に配置していたために、赤外線発光部５を使用して撮影した場合に、レンズ鏡筒３によって赤外線照明光に所謂ケラレが生じて、映像に輪郭線等が発生する場合があった。そこで、図２４に示すように、赤外線発光部５をフラッシュ装置４と同様にレンズ鏡筒３の先端部に配置することにより、ケラレの発生を無くす構成にすることができる。他の構成は、上記基本となる実施例と同じである。また、上記実施例では、撮像装置として、ビデオカメラを例にとって説明したがスチルカメラであってもよい。
【図面の簡単な説明】
【００６０】
【図１】ビデオカメラをグリップベルト側から見た斜視図。
【図２】ビデオカメラをモニター側から見た斜視図。
【図３】モニターを使用状態にした斜視図。
【図４】ビデオカメラを後面側から見た斜視図。
【図５】スライド式の端子カバーを閉じた状態の要部の斜視図。
【図６】スライド式の端子カバーを開いた状態の要部の斜視図。
【図７】スライド式の端子カバーを取外した状態を示す斜視図。
【図８】スライド式の端子カバーが閉じられている状態の要部の斜視図。
【図９】スライド式の端子カバーが閉じられている状態の要部の正面図。
【図１０】スライド式の端子カバーが開かれている状態の要部の正面図。
【図１１】スライド式の端子カバー部分を断面した斜視図。
【図１２】スライド式の端子カバー部分を断面した平面図。
【図１３】メモリーカードを装着した状態の斜視図。
【図１４】図１３のＡ−Ａ断面図。
【図１５】モニターを閉じた状態の側面図。
【図１６】図１５のＢ−Ｂ断面図。
【図１７】メモリーカードが所定の位置まで排出された状態の斜視図。
【図１８】図１７のＣ−Ｃ断面図。
【図１９】Ａはメモリーカード挿入口とこれを囲繞する凹面の平面図、Ｂはメモリーカードを指先で押し込んでいる状態を示す断面図、Ｃはメモリーカードを指先で押し込んでいる状態を示す平面図。
【図２０】Ａはメモリーカード挿入口とこれを囲繞する凹面の他の実施例の平面図、Ｂはメモリーカードを指先で押し込んでいる状態を示す断面図、Ｃはメモリーカードを指先で押し込んでいる状態を示す平面図。
【図２１】メモリーカード挿入口と凹面を設けたスロット部材の斜視図。
【図２２】撮像装置を使用している状態の斜視図。
【図２３】ＡとＢは凹面の他の実施例を示す平面図。
【図２４】赤外線発光部とフラッシュ装置を対向配置した撮像装置の斜視図。
【図２５】従来のビデオカメラの斜視図。
【図２６】端子カバーを開いた状態の斜視図。
【図２７】端子カバーを閉じた状態の断面図。
【符号の説明】
【００６１】
１…ビデオカメラ（撮像装置）、２…カメラ筐体（カメラ筐体）、２ａ…前面、２ｂ…上面、２ｃ…後面、２ｄ…第１の側面（グリップ面）、２ｅ…第２の側面（モニター取付面）、２０…グリップベルト、２１…端子部、２２…コンポーネント・アウト端子、２３…Ａ／Ｖアウト端子２３、３１…スライド式の端子カバー、３２…操作ボタン、３３…長孔。
【図１】
2008263496.tif 000003
【図２】
2008263496.tif 000004
【図３】
2008263496.tif 000005
【図４】
2008263496.tif 000006
【図５】
2008263496.tif 000007
【図６】
2008263496.tif 000008
【図７】
2008263496.tif 000009
【図８】
2008263496.tif 000010
【図９】
2008263496.tif 000011
【図１０】
2008263496.tif 000012
【図１１】
2008263496.tif 000013
【図１２】
2008263496.tif 000014
【図１３】
2008263496.tif 000015
【図１４】
2008263496.tif 000016
【図１５】
2008263496.tif 000017
【図１６】
2008263496.tif 000018
【図１７】
2008263496.tif 000019
【図１８】
2008263496.tif 000020
【図１９】
2008263496.tif 000021
【図２０】
2008263496.tif 000022
【図２１】
2008263496.tif 000023
【図２２】
2008263496.tif 000024
【図２３】
2008263496.tif 000025
【図２４】
2008263496.tif 000026
【図２５】
2008263496.tif 000027
【図２６】
2008263496.tif 000028
【図２７】
2008263496.tif 000029